(57)【要約】      （修正有）【課題】簡単な操作を通じてマスクをコンパクトかつ適正に折り畳んで確実に閉止、保管し得るようにしたマスク保管用ケースを提供する。【解決手段】接続部３Ａを介して開閉可能に接続された定型性のあるケース本体１と蓋２の間のマスク収容空間ＳにマスクＭを折り畳んで収容するようにしたものであって、マスク収容空間Ｓと接続部３Ａとの間を仕切る位置にインナーカバー５を、開放時に蓋２に連動して開き、閉止時に蓋２に連動してマスク収容空間Ｓ側に閉じる状態で設けることとした。【選択図】図２
2013048715.tif 000002
【特許請求の範囲】
【請求項１】
接続部を介して開閉可能に接続された定型性のあるケース本体と蓋の間のマスク収容空間にマスクを折り畳んで収容するようにしたものであって、
前記マスク収容空間と前記接続部との間を仕切る位置にインナーカバーを、開放時に蓋に連動して開き、閉止時に蓋に連動してマスク収容空間側に閉じる状態で設けたことを特徴とするマスク保管用ケース。
【請求項２】
前記ケース本体に、前記蓋とは別異の方向に開閉可能なように接続部を介してマスク保持部材を接続し、このマスク保持部材を収容空間側に閉じた際にマスクを折り畳んだ状態に保持し、その上から前記インナーカバーを前記蓋に連動して収容空間側に閉じ得るように構成している請求項１記載のマスク保管用ケース。
【請求項３】
マスク保持部材に、マスクの一部と係合する係合部を設け、開いた位置にある当該マスク保持部材の係合部に折り畳んだ状態で係合させたマスクを、マスク収容空間側に閉じる動作によって当該マスク収容空間内に導入し得るようにしている請求項２記載のマスク保管用ケース。
【請求項４】
マスク保持部材がマスク収容空間側に閉じた際に当該マスク収容空間に略対応する形状をなす板状のものであり、このマスク保持部材の一部に肉厚方向の貫通孔を設けている請求項２又は３に記載のマスク保管用ケース。
【請求項５】
ケース本体と蓋の間に、蓋を閉じる動作に伴って反発力を蓄積する弾性部材と、閉止位置で蓋の開放を規制する係止部と、係止部の規制を解除する解除部とを設けている請求項１〜４の何れかに記載のマスク保管用ケース。
【発明の詳細な説明】
【技術分野】
【０００１】
本発明は、簡単な操作を通じてマスクをコンパクトかつ適正に折り畳んで保管し得るようにしたマスク保管用ケースに関するものである。
【背景技術】
【０００２】
近年、感染性の強いインフルエンザの流行等により、マスクの需要が高まっており、不測の事態に備えて防災等の観点からも平素よりマスクを備蓄、携帯しておく人も急増している。
【０００３】
このようなマスクは、通勤時の人混みのように装着が欠かせない場面だけではなく、会議や飲食時のように一時的に外さなければならない場面や、単に携帯しているだけの場面のように、常時装着しているわけではない。
【０００４】
このような不使用時に、無造作にマスクをポケット等にしまい込むと不衛生であるほか二次感染の恐れがあり、都度マスクを使い捨てるのでは無駄が多く、エコロジーにも反する。
【０００５】
これらの不具合を解消する上で参考になるものとして、マスクを一時的に保管するための保管用ケースが考えられている（例えば特許文献１、２等参照）。これらの文献では、マスクを構成する耳掛け紐を口当て部分であるマスク本体ともどもケース内に開閉可能に収容するようにした蓋構造にしたり、不要時にマスクを清潔な状態で保管できるようにケースの内部に薬剤等を収容したもの等が提案されている。
【０００６】
しかしながら、特許文献１、２のものは、マスクを展開した状態で収納するために、ケースが大きくなって取扱いに不便であり、また、いわゆる立体マスクと称されるものは展開状態で立体をなし折り畳んだ状態で平面をなすため、折り畳んだときのマスクよりもケースが異様に大きいものとなって無駄も多くなる。
【０００７】
そこで、特許文献３のように、ケース本体と蓋の間にマスクを２つに折り畳んで収容するようにしたものも考えられている。
【先行技術文献】
【特許文献】
【０００８】
【特許文献１】実用新案登録第３１５８１５９号公報
【特許文献２】実開平０６−４８６９８号公報
【特許文献３】特開２００５−６１３号公報
【発明の概要】
【発明が解決しようとする課題】
【０００９】
しかしながら、特許文献３のものは、布製であるケース本体と蓋の間にマスクを２つに折り畳んで収容し、接続辺以外の３辺をファスナーで閉じるようにしているので、マスクの紐がファスナーに食い込み易く、密閉性やマスクの形状保持性も悪いうえに、閉じた状態のケースがぶ厚くなってやはり取り扱いに不便である。マスクの紐を接続辺側に向けて収容することでファスナーへの食い込みをある程度防止することは可能であるが、密閉性やマスクの形状保持性、ぶ厚くなる点に関する問題は依然として解消されない。
【００１０】
そこで、樹脂等を素材とする定型性を有したケース本体と蓋の間を接続部で開閉可能に接続し、マスクを折り畳んで収容するように構成することが有効な手段として考えられるが、紐が飛び出さないように接続部側に紐を向けてマスクを収容すると、紐が接続部に食い込んで、蓋の閉止状態が不十分になり易くなる。特に、密閉性を担保するために、閉止時にマスク収容空間の周囲をシールするシール部をケース本体と蓋の間に設けた場合には、マスクの紐がシール部に入り込んで密閉性も損なわれるものとなる。
【００１１】
本発明は、このような課題を解消すべく、定型性のあるケース本体と蓋を用い、簡単な操作を通じてマスクをコンパクトかつ適正に折り畳んで確実に閉止、保管し得るようにしたマスク保管用ケースを提供することを目的としている。
【課題を解決するための手段】
【００１２】
本発明は、かかる目的を達成するために、次のような手段を講じたものである。
【００１３】
すなわち、本発明のマスク保管用ケースは、接続部を介して開閉可能に接続された定型性のあるケース本体と蓋の間のマスク収容空間にマスクを折り畳んで収容するようにしたものであって、前記マスク収容空間と前記接続部との間を仕切る位置にインナーカバーを、開放時に蓋に連動して開き、閉止時に蓋に連動してマスク収容空間側に閉じる状態で設けたことを特徴とする。
【００１４】
ここに、定型性があるとは、樹脂や金属等のように形が定常的であって、布で作った場合のような可撓性に乏しいものを言う。
【００１５】
このようにすれば、ケースが折り畳んだマスクの大きさに対応するコンパクトなもので済み、定型性を有しているため薄肉にしても収容したマスクが皺になること等を防止することができる。しかも、インナーカバーを設けることによって、折り畳んだマスクのマスク本体や耳掛け紐が接続部と干渉することを防止して、適切な閉止状態を得ることができ。さらに、マスク収容空間側に閉じられる際にインナーカバーにマスク本体や紐の折り畳みを補助する役割を担わせることも容易に可能となり、インナーカバーが開閉動作と干渉することも有効に回避することができる。
【００１６】
前記ケース本体と前記蓋の間に、閉止時にマスク収容空間の周囲をシールするシール部が設けられている場合に、マスク収納空間の密閉性を有効に担保するためには、前記接続部をそのシール部よりも外側へオフセットした位置に配置し、前記インナーカバーを当該シール部の内側に設けることが望ましい。
【００１７】
マスクをマスク収納空間に適切に収容するためには、前記ケース本体に、前記蓋とは別異の方向に開閉可能なように接続部を介してマスク保持部材を接続し、このマスク保持部材を収容空間側に閉じた際にマスクを折り畳んだ状態に保持し、その上から前記インナーカバーを前記蓋に連動して収容空間側に閉じ得るように構成していることが好ましい。
【００１８】
具体的には、マスク保持部材に、マスクの一部と係合する係合部を設け、開いた位置にある当該マスク保持部材の係合部に折り畳んだ状態で係合させたマスクを、マスク収容空間側に閉じる動作によって当該マスク収容空間内に導入し得るようにしていることも好適である。
【００１９】
また、マスク保持部材に、マスクの一部と係合する係合部を設け、開いた位置にある当該マスク保持部材の係合部に係合させたマスクを、マスク収容空間側に閉じる動作に伴って折り畳みながらマスク収容空間内に導入し得るようにしていることも好適である。
【００２０】
この場合、マスク保持部材それ自体が、複数の折り畳み片によって折り畳み展開可能に構成されており、マスク保持部材を閉じる方向にマスクを３つ折り以上に折り畳み得るようにしていることが望ましい。
【００２１】
マスク保持部材がマスク収容空間側に閉じた際に当該マスク収容空間に略対応する形状をなす板状のものである場合には、内部の通気性を担保するために、マスク保持部材の一部に肉厚方向の貫通孔を設けていることが効果的である。
【００２２】
マスクを簡単に取り出し可能とするためには、ケース本体と蓋の間に、蓋を閉じる動作に伴って反発力を蓄積する弾性部材と、閉止位置で蓋の開放を規制する係止部と、係止部の規制を解除する解除部とを設けていることが望ましい。
【００２３】
或いは、ケース本体とマスク保持部材の間に、マスク保持部材を閉じる動作に伴って反発力を蓄積する弾性部材と、閉止位置で蓋の開放を規制することを通じてマスク保持部材の開き動作を規制する係止部と、係止部の規制を解除する解除部とを設けているものも好適である。
【発明の効果】
【００２４】
本発明は、以上説明した構成であるから、定型性のあるケース本体と蓋を用い、簡単な操作を通じてマスクをコンパクトかつ適正に折り畳んで確実に閉止、保管するとともに、随時随所にて簡単に取り出して利用できるようにした、使い勝手に優れたマスク保管用ケースを提供することができる。
【図面の簡単な説明】
【００２５】
【図１】本発明の一実施形態に係るマスク保管用ケースの分解斜視図。
【図２】同マスク保管用ケースの展開状態を示す斜視図。
【図３】同マスク保管用ケースの折り畳み途中の状態を示す斜視図。
【図４】同マスク保管用ケースの折り畳み途中の状態を示す斜視図。
【図５】同マスク保管用ケースの折り畳んだ状態を示す斜視図。
【図６】同マスク保管用ケースの他の使用例を示す斜視図。
【発明を実施するための形態】
【００２６】
以下、本発明の実施形態を、図面を参照して説明する。
【００２７】
図１及び図２は、本実施形態のマスク保管用ケースを示している。このマスク保管用ケースは、平面視長方形状をなし、ケース本体１と蓋２とで作った樹脂製のハードケースタイプのものである。
【００２８】
ケース本体１は、矩形状をなす底部１１の四辺に起立壁１２、１３、１４、１５を有した上方に開口する扁平な箱状のもので、これらの起立壁１２、１３、１４、１５の上面には溝が周回して設けられ、その溝にパッキンｐが埋設されている。
【００２９】
蓋２は、矩形状をなす頂部２１を主体とする板状のもので、前記パッキンｐに対応する位置に垂下壁２２、２３、２４、２５が周回して設けられている。
【００３０】
そして、ケース本体１の一方の短辺側の起立壁１２に設けた切欠部１２ａに蓋２の対応する短辺側に突出させて設けた支持片２２ａを挿入し、この支持片２２ａに貫通させた軸３１を切欠部１２ａの両側に位置する軸受部１２ｂに回転可能に支持させて、蓋２とケース本体１との間に第１の接続部３Ａを構成している。この接続部３Ａは、周回するパッキンｐよりも外側へオフセットした位置にあり、支持片２２ａの頂部２１からの突出量は、蓋２を閉止した際に蓋２がケース本体１に対して略平行となって蓋２の垂下壁２２、２３、２４、２５がケース本体１のパッキンｐに均等に密着してシール部ＳＬ（図５参照）をなすように構成してある。その際、前記ケース本体１の切欠部１２ａに前記支持片２２ａとともに弾性部材であるねじりコイルバネ３１ａを装着して、当該ケース本体１に対して蓋２を開く方向に付勢するように関連づけている。
【００３１】
また、ケース本体１の他方の短辺側の起立壁１４には挿入窓１６が上方に開口した状態で設けてあり、蓋２の対応位置には係止爪２６が垂下していて、蓋２の閉止時にその係止爪２６がケース本体１の挿入窓１６に挿入されて内部に設けた図示しない被係止部に係合し、蓋２の開放を規制する係止部３Ｂ（図５参照）を構成するようにしている。ケース本体１の起立壁１４の外面には、押圧することによって前記係止部３Ｂの規制を解除する解除部１８がケース本体１に対して突没可能に設けてあり、解除部を押圧することによって挿入窓１６内の被係止部に対する係止爪２６の係合を解除するものである。
【００３２】
さらに、図１及び図２に示すように、前記ケース本体１の一方の長辺側の起立壁１３に、前記蓋２と直交する方向に開閉可能なようにマスク保持部材４を接続しており、このマスク保持部材４を図２→図３→図４に示すようにマスク収容空間Ｓ側に閉じた際にマスクＭを折り畳んだ状態に保持するようにしている。
【００３３】
マスク保持部材４は、２つの折り畳み片である基片４１と先端片４２とを樹脂ヒンジ４３で接続して折り畳み展開可能に構成されている。そして、ケース本体１の一方の長辺側の起立壁１３に設けた切欠部１３ａに基片４１の対応位置に突出させて設けた支持片４１ａを挿入し、この支持片４１ａに貫通させた軸３３を切欠部１３ａの両側及び中間に設けた軸受部１３ｂに回転可能に支持させて、基片４１をケース本体１に回転可能に支承する第２の接続部３Ｃ（図５参照）を構成している。この接続部３Ｃは、周回するシール部ＳＬの内側、すなわちマスク収容空間Ｓ内にあり、支持片４１ａの基片４１からの突出量は、マスク保持部材４を折り畳んで閉じる方向に移動させた図４の状態で当該マスク収容空間Ｓの領域内に収まるように設定してある。その際、前記ケース本体１の切欠部１３ａに前記支持片４１ａとともに弾性部材であるねじりコイルバネ３３ａを装着して、当該ケース本体１に対して基片４１を開く方向に付勢するように関連づけている。
【００３４】
このマスク保持部材４を構成する基片４１のうち、ケース本体１の他方の短辺側に対応する短辺側には、一方の短辺側に向けて延びる係合片４４が基片４１との間に所要の間隙を介して設けてある。マスク保持部材４を構成する基片４１や先端片４２には、肉厚方向に貫通する貫通窓４５が設けてある。
【００３５】
このような構成において、本実施形態はさらに、図２に示すように前記マスク収容空間Ｓと前記第１の接続部３Ａとの間を仕切る位置にインナーカバー５を、図４に示すように開放時に蓋２に連動して開きながらマスク収容空間Ｓより退避し、閉止時に蓋２に連動してマスク収容空間Ｓ側に閉じる状態で設けている。
【００３６】
具体的に説明すると、図１に示すケース本体１の一方の起立壁１２の内側には、当該起立壁１２との間に所定の間隙を形成する上向きの突出片１７が、蓋２の下面における長辺側には蓋２の頂板２１の下面との間に所定の間隙を形成する内向きの突出片２７が、それぞれ設けてある。一方、インナーカバー５は、前記起立壁１２と突出片１７との間隙に差し込まれて固定される第１のカバー片５１と、このカバー片５１に樹脂ヒンジ５２を介して基端を連設され先端の拡開部５３ａを前記蓋２の頂板２１の下面と突出片２７との間隙にスライド可能に係合される第２のカバー片５３とからなるもので、蓋２が開いた状態で樹脂ヒンジ５２を介して山折りとなり、蓋２が閉まるにつれて先端をスライドさせながら図４に想像線で示す中間位置を経て谷折りに折り返して、蓋２とともにマスク収容空間Ｓ側へ倒れるように構成している。
【００３７】
なお、ケース本体１の一部には、図１に示すように二酸化塩素などの薬剤を充填したアンプルＡを取り替え自在に装着する装着部１０が設けられ、薬剤が収容空間Ｓ内で気化するように構成される。アンプルＡは、ケース本体１においてマスクＭの収容の邪魔にならない位置として、図示のように底部１１と起立壁１５との入隅部に配置されているが、これ以外に、底部１１を中蓋を用いた二重底構造にして中蓋の下にアンプルＡを収容するようにしてもよい。
【００３８】
次に、このマスク保管用ケースの取扱い方法について説明する。先ず、図２に示すように開いたマスク保持部材４の基片４１に設けた係合片４４にマスクＭを構成するマスク本体ｍを２つ折りにして保持させる。このとき、マスク本体ｍ１は基片４１から先端片４２に亘る位置に配置、保持される。このとき、マスク本体ｍ１の一部はケース本体１側にはみ出した状態となっても構わない。マスクＭを構成する耳掛け部たる紐ｍ２は蓋２側に位置する向きに配置する。紐２は基片４１や先端片４２から蓋２側にはみ出した状態となっても構わない。
【００３９】
次に、先端片４２を樹脂ヒンジ４３の回りに図２→図３のように回転させて基片４１側に反転して倒し、さらに基片４１を先端片４２とともに接続部３Ｃの回りに図３→図４のように回転させてケース本体１側に倒す。このとき、マスクＭは基片４１と先端片４２の間、先端片４２とケース本体１の間に挟まれるようにして３つ折りに畳まれる。このとき、マスク本体ｍ１からはみ出した紐ｍ２は蓋２に設けたインナーカバー５上に位置する。
【００４０】
このようにして、マスク保持部材４をマスク収容空間Ｓ側に閉じて、図４に示す矢印の一方に沿って蓋２を閉じる方向に回転させる。蓋２の回転に伴って、マスク保持部４の上からインナーカバー５が蓋２に連動して覆いかぶさるように収容空間Ｓ側に倒れて閉じられる。そして、蓋２の閉止時に係止爪２６がケース本体１の挿入窓１６に挿入されて内部に設けた被係止部に係合し、図５に示すように蓋２の開放を規制する係止部３Ｂを構成する。このとき、ケース本体１と蓋２の間に設けたねじりコイルバネ３１ａ、およびケース本体１とマスク保持部材４の基片４１との間に設けたねじりコイルバネ３３ａは、蓋２を開く方向の反発力を蓄積する。
【００４１】
マスクＭを取り出したいときは、図５に矢印で示すように解除部１８を押圧する。これにより、ケース本体１に対する蓋２の規制が解除され、蓋２がねじりコイルバネ３１ａ、３３ａによって図５→図４のように開くとともに、マスク保持部材４の基片４１がねじりコイルバネ３３ａによって更に図４→図３（→更には図２）のように開く。このため、係合部４４に挟んであるマスクＭを即座に取り出して使用することができる。
【００４２】
なお、このようなマスク保管用ケースであれば、図６に示すような、いわゆる立体マスクＭＭの収納にも有効である。この種のマスクＭＭは、展開状態で立体をなし折り畳んだ状態で平面をなすものであり、上記実施形態と同様に２つ折りにしたマスク本体ｍｍ１をマスク保持部材の基片４１と先端片４２に亘って載せ置いて係合部４４に係合させ、耳掛け部ｍｍ２を蓋２側にはみださせて配置した後、上記実施形態と同様にマスク保持部材４を折り畳み、蓋２を閉めれば、同様にしてマスク収容空間Ｓ内に収容することができる。
【００４３】
このように、本実施形態のマスク保管用ケースはマスクＭ、ＭＭを折り畳んで収容するものであることから、コンパクトな大きさ、例えばハードケースタイプの名刺入れに略対応する縦横寸法および厚み寸法に設定してある。
【００４４】
以上のように、本実施形態のマスク保管用ケースは、接続部３Ａを介して開閉可能に接続された定型性のあるケース本体１と蓋２の間のマスク収容空間ＳにマスクＭを折り畳んで収容するようにしたものであって、前記マスク収容空間Ｓと前記接続部３Ａとの間を仕切る位置にインナーカバー５を、開放時に蓋２に連動して開き、閉止時に蓋２に連動してマスク収容空間Ｓ側に閉じる状態で設けたものである。
【００４５】
このようにすれば、マスク保管用ケースが折り畳んだマスクＭの大きさに対応するコンパクトなもので済み、定型性を有しているため薄肉にしても収容したマスクＭが皺になること等を防止することができる。しかも、インナーカバー５を設けることによって、折り畳んだマスクＭのマスク本体ｍ１や紐ｍ２が接続部３Ａと干渉することを防止して、確実な閉止状態、保管状態を実現することができ、また、図４に示す矢印の一方に沿ってマスク収容空間Ｓ側に閉じられる際にインナーカバー５にマスク本体ｍ１や紐ｍ２の折り畳みを補助する役割を担わせることも可能となり、インナーカバー５が開閉動作と干渉することも有効に回避することができる。
【００４６】
特に、前記ケース本体１と前記蓋２の間に、閉止時にマスク収容空間Ｓの周囲をシールする図５のシール部ＳＬが設けられ、前記接続部３Ａはそのシール部ＳＬよりも外側へオフセットした位置に配置されていて、前記インナーカバー５を当該シール部ＳＬの内側に設けているので、シール部ＳＬにマスクＭが干渉することを防止して、マスク収容空間Ｓの密閉性を有効に担保することができる。
【００４７】
また、前記ケース本体１に、前記蓋２とは別異の方向に開閉可能なように接続部３Ｃを介してマスク保持部材４を接続し、このマスク保持部材４をマスク収容空間Ｓ側に閉じた際にマスクＭを折り畳んだ状態に保持し、その上から前記インナーカバー５を前記蓋２に連動してマスク収容空間Ｓ側に閉じ得るように構成しているので、折り畳んだマスクＭをマスク保持部材４により安定させて、マスク収容空間Ｓ内での収まりを良好にするとともに、マスクＭが蓋２の縁やインナーカバー５の開閉と干渉しないようにして、マスクをより適切な状態で収容しておくことができる。
【００４８】
その際、マスク保持部材４に、マスクＭの一部と係合する係合部４４を設け、開いた位置にある当該マスク保持部材４の係合部４４に折り畳んだ状態で係合させたマスクＭを、マスク収容空間Ｓ側に閉じる動作によって当該マスク収容空間Ｓ内に導入し得るようにしており、マスクＭを予め小さくした状態に保持することができるので、マスク収容空間Ｓに折り畳んで導入する操作が容易かつ適正化される。
【００４９】
或いは、マスク保持部材４に、マスクＭの一部と係合する係合部４４を設け、開いた位置にある当該マスク保持部材４の係合部４４に係合させたマスクＭを、マスク収容空間Ｓ側に閉じる動作に伴って折り畳みながらマスク収容空間Ｓ内に導入し得るようにしているので、マスクＭを折り畳みながらマスク収容空間Ｓに導入することができ、マスクＭの収容操作がより簡単なものとなる。
【００５０】
この場合、マスク保持部材４それ自体が、複数の折り畳み片４１、４２によって折り畳み展開可能に構成されており、マスク保持部材４を閉じる方向にマスクＭを３つ折り以上に折り畳み得るようにしているので、マスクＭをより小さく折り畳むことができ、これによりマスク収容ケースもより一層コンパクトに構成することができるようになる。
【００５１】
さらに、マスク保持部材４を、マスク収容空間Ｓ側に閉じた際に当該マスク収容空間Ｓに略対応する形状をなす板状のものにして、このマスク保持部材４の一部に肉厚方向の貫通孔４５を設けているので、アンプルＡから揮発した薬剤がマスク収納空間Ｓ内に収容したマスクＭに効果的に接触して、薬剤を適切に充満させた状態を形成することができる。
【００５２】
そして、ケース本体１と蓋２の間に、蓋２を閉じる動作に伴って反発力を蓄積する弾性部材たるねじりコイルバネ３１ａと、閉止位置で蓋２の開放を規制する係止部３Ｂと、係止部３Ｂの規制を解除する解除部１８とを設けているので、解除部１８を操作するだけでインナーカバー５とともに蓋２を開いて、マスクＭを簡単に取り出すことができるようになる。
【００５３】
さらに、ケース本体１とマスク保持部材４の間に、マスク保持部材４を閉じる動作に伴って反発力を蓄積する弾性部材たるねじりコイルバネ３３ａと、閉止位置で蓋２の開放を規制することを通じてマスク保持部材４の開き動作を規制する係止部３Ｂと、係止部３Ｂの規制を解除する解除部１８とを設けているので、解除部１８を操作することでねじりコイルバネ３３ａにより蓋２が開き易くなり、インナーカバー５とともに蓋２が開けば、更にマスク保持部材４がねじりコイルバネ３３ａにより開いて、マスクＭを簡単に取り出すことができるようになる。
【００５４】
以上、本発明の一実施形態について説明したが、各部の具体的な構成は上述した各実施形態のみに限定されるものではない。
【００５５】
例えば、上記実施形態では、マスク保持部材が折り畳んだマスクを基片と先端片によって更に３つ折りできるように構成されていたが、２つ折りにして収容するように使用してもよく、また基片のみで構成しても構わない。また、インナーカバーは、マスク収容空間と接続部の間を仕切ることができれば、上述した形状や取付構造には限られない。
【００５６】
その他の構成も、本発明の趣旨を逸脱しない範囲で種々変形が可能である。
【符号の説明】
【００５７】
１…ケース本体
２…蓋
３Ａ…接続部
３Ｂ…係止部
３Ｃ…接続部
４…マスク保持部材
５…インナーカバー
１８…解除部
３１ａ…弾性部材（ねじりコイルバネ）
４４…係合部
４５…貫通孔
Ｍ…マスク
Ｓ…マスク収容空間
【図１】
2013048715.tif 000003
【図２】
2013048715.tif 000004
【図３】
2013048715.tif 000005
【図４】
2013048715.tif 000006
【図５】
2013048715.tif 000007
【図６】
2013048715.tif 000008